(57)【要約】【課題】暗視ディスプレイデバイス、特に、例えば暗視ゴグルのようなユーザ装着可能暗視ディスプレイデバイスを提供すること。【解決手段】装置であって、該装置は、ユーザの環境の夜間視界を提供するように構成されているディスプレイデバイスと、該ユーザの環境を示すセンサデータを生成するように構成されているセンサと、ビデオジェネレータであって、該ビデオジェネレータは、該センサからセンサデータを受け取り、そして、該センサデータの視覚表現を含むビデオ信号を該暗視ディスプレイデバイスに提供するように構成されている、ビデオジェネレータと  を備え、該暗視ディスプレイデバイスは、該ユーザの環境の該夜間視界に対してオーバーレイされている該ビデオ信号に対応する画像を表示するように構成されている、装置。【選択図】なし【特許請求の範囲】
【請求項１】
装置であって、該装置は、
ユーザの環境の夜間視界を提供するように構成されているディスプレイデバイスと、
該ユーザの環境を示すセンサデータを生成するように構成されているセンサと、
ビデオジェネレータであって、該ビデオジェネレータは、該センサからセンサデータを受け取り、そして、該センサデータの視覚表現を含むビデオ信号を該暗視ディスプレイデバイスに提供するように構成されている、ビデオジェネレータと
を備え、該暗視ディスプレイデバイスは、該ユーザの環境の該夜間視界に対してオーバーレイされている該ビデオ信号に対応する画像を表示するように構成されている、
装置。
【請求項２】
前記センサは、発砲の位置を示すセンサデータを生成するように構成されている発砲検出器を備えている、請求項１に記載の装置。
【請求項３】
全地球測位システム受信器をさらに備え、該全地球測位システム受信器は、全地球測位情報を前記ビデオジェネレータに提供し、
該ビデオジェネレータは、前記発砲に関する位置情報および該全地球測位情報に応答して、前記ビデオ信号を提供するように構成されている、請求項２に記載の装置。
【請求項４】
前記センサは、全地球測位システム受信器、車両診断センサ、または光検出およびレンジングデバイスのうちの少なくとも１つを備えている、請求項１に記載の装置。
【請求項５】
前記暗視ディスプレイデバイスは、暗視ゴグルを備えている、請求項１に記載の装置。
【請求項６】
前記暗視ゴグルは、前記ユーザに双眼画像を提供するように構成されている、請求項５に記載の装置。
【請求項７】
前記暗視ゴグルは、前記ユーザにバイオキュラ画像を提供するように構成されている、請求項５に記載の装置。
【請求項８】
前記暗視ディスプレイは、前記ユーザに単眼画像を提供するように構成されている、請求項１に記載の装置。
【請求項９】
前記ディスプレイの接眼部は、該ディスプレイから発される光がユーザの環境の中に漏れることを遮るように構成されている、請求項１に記載の装置。
【請求項１０】
前記センサデータは、デジタル連続信号を含む、請求項１に記載の装置。
【請求項１１】
前記ビデオジェネレータは、スマートフォンにおいて具現化される、請求項１に記載の装置。
【請求項１２】
前記ビデオジェネレータは、特定用途向け集積回路、フィールドプログラマブルゲートアレイ、マイクロコントローラ、またはマイクロプロセッサのうちの少なくとも１つにおいて具現化される、請求項１に記載の装置。
【請求項１３】
前記センサデータは、非視覚データを含む、請求項１に記載の装置。
【請求項１４】
前記暗視ディスプレイデバイスは、蛍光スクリーンと透明ディスプレイとを含み、
前記夜間視界は、該蛍光スクリーンから表示され、前記ビデオ信号は、該透明ディスプレイから表示され、
該透明ディスプレイは、該蛍光スクリーンのユーザ側に配列される、
請求項１に記載の装置。
【請求項１５】
方法であって、該方法は、
ユーザの環境を示すセンサからのセンサデータを受け取ることと、
該センサデータの視覚表現を含むビデオ信号を生成することと、
該ビデオ信号をユーザ環境の夜間視界と組み合わせることにより、該センサデータの視覚表現をユーザの環境の夜間視界の上にオーバーレイすることと、
該オーバーレイされた該ユーザの環境の夜間視界を表示することと
を含む、方法。
【請求項１６】
前記センサデータを受け取ることは、発砲の位置を示す発砲検出器からのセンサデータを受け取ることを含む、請求項１５に記載の方法。
【請求項１７】
全地球測位情報を受け取ることをさらに含み、
前記ビデオ信号を生成することは、前記発砲に関する位置情報および該全地球測位情報に応答して、該発砲の位置を前記ユーザの環境の夜間視界の上にオーバーレイすることを含む、
請求項１６に記載の方法。
【請求項１８】
前記オーバーレイされた夜間視界を表示することは、双眼画像を表示することを含む、請求項１５に記載の方法。
【請求項１９】
前記センサデータを受け取ることは、非視覚データを受け取ることを含む、請求項１５に記載の方法。
【請求項２０】
装置であって、該装置は、
ユーザの環境の夜間視界を提供するように構成されているディスプレイデバイスと、
発砲の位置を示すセンサデータを生成するように構成されている発砲検出器と、
ビデオジェネレータであって、該ビデオジェネレータは、該発砲検出器からセンサデータを受け取り、そして、該センサデータの視覚表現を含むビデオ信号を該暗視ディスプレイデバイスに提供するように構成されている、ビデオジェネレータと
を備え、該暗視ディスプレイデバイスは、該ユーザの環境の該夜間視界に対してオーバーレイされている該ビデオ信号に対応する画像を表示するように構成されている、
装置。
【発明の詳細な説明】
【技術分野】
【０００１】
（技術分野）
本開示は、暗視ディスプレイデバイスに関し、特に、例えば暗視ゴグルのようなユーザ装着可能暗視ディスプレイデバイスに関する。
【背景技術】
【０００２】
（背景）
技術が、現代の兵士によって使用される装備の中にますます多く統合されつつある。例えば、全地球測位システム（「ＧＰＳ」）受信器、暗視デバイス、および発砲検出器は、今日の現代兵士のための標準的装備になりつつある。
【０００３】
ＧＰＳ受信器は、例えば兵士のようなユーザが、不慣れな土地を渡ること、潜在的標的を追跡すること、ならびに、「スマート」爆弾およびミサイルに誘導を提供することを可能にする。
【０００４】
例えば一対の暗視ゴグルのような暗視デバイスは、微光環境の強化画像を提供する。暗視は、２つのアプローチ、すなわち、スペクトル範囲を増大することと、強度範囲を増大することとの組み合わせによって可能とされる。例えば、一部の暗視デバイスは、微量な可視光を集めること、光の光子を電子に変換すること、電子の数をマイクロチャネルプレートにおいて増幅すること、および、増幅された電子を可視画像に変換し戻すことによって動作する。強化画像は、兵士が、夜陰に乗じて安全のままでありながら、効果的に作戦行動を取ることを可能にする。
【０００５】
発砲検出器は、音響センサおよび／もしくは光学センサまたはセンサのアレイを用いて、発砲または他の武器の発射の位置を検出し、これを伝えるシステムである。検出器は、発砲の源および、ある場合には、発砲の方向ならびに／または発射された武器のタイプを特定するために、法の執行、セキュリティ、軍隊、およびビジネスによって用いられる。大抵のシステムは、３つの主なコンポーネント、すなわち、マイクロフォンまたはセンサと、処理ユニットと、発砲警報を表示するユーザインターフェースとを所有する。
【発明の概要】
【課題を解決するための手段】
【０００６】
（概観）
ユーザの環境を示すセンサデータはセンサから受け取られる。センサデータの視覚表現を含むビデオ信号が生成される。ビデオ信号は、ユーザの環境の夜間視界と組み合わされ、センサデータの視覚表現をユーザの環境の夜間視界の上にオーバーレイする。オーバーレイされたユーザの環境の夜間視界は、ユーザに表示される。
【０００７】
例えば、本発明は以下を提供する。
（項目１）
装置であって、該装置は、
ユーザの環境の夜間視界を提供するように構成されているディスプレイデバイスと、
該ユーザの環境を示すセンサデータを生成するように構成されているセンサと、
ビデオジェネレータであって、該ビデオジェネレータは、該センサからセンサデータを受け取り、そして、該センサデータの視覚表現を含むビデオ信号を該暗視ディスプレイデバイスに提供するように構成されている、ビデオジェネレータと
を備え、該暗視ディスプレイデバイスは、該ユーザの環境の該夜間視界に対してオーバーレイされている該ビデオ信号に対応する画像を表示するように構成されている、
装置。
（項目２）
上記センサは、発砲の位置を示すセンサデータを生成するように構成されている発砲検出器を備えている、上記項目に記載の装置。
（項目３）
全地球測位システム受信器をさらに備え、該全地球測位システム受信器は、全地球測位情報を上記ビデオジェネレータに提供し、
該ビデオジェネレータは、上記発砲に関する位置情報および該全地球測位情報に応答して、上記ビデオ信号を提供するように構成されている、上記項目のうちのいずれか一項に記載の装置。
（項目４）
上記センサは、全地球測位システム受信器、車両診断センサ、または光検出およびレンジングデバイスのうちの少なくとも１つを備えている、上記項目のうちのいずれか一項に記載の装置。
（項目５）
上記暗視ディスプレイデバイスは、暗視ゴグルを備えている、上記項目のうちのいずれか一項に記載の装置。
（項目６）
上記暗視ゴグルは、上記ユーザに双眼画像を提供するように構成されている、上記項目のうちのいずれか一項に記載の装置。
（項目７）
上記暗視ゴグルは、上記ユーザにバイオキュラ画像を提供するように構成されている、上記項目のうちのいずれか一項に記載の装置。
（項目８）
上記暗視ディスプレイは、上記ユーザに単眼画像を提供するように構成されている、上記項目のうちのいずれか一項に記載の装置。
（項目９）
上記ディスプレイの接眼部は、該ディスプレイから発される光がユーザの環境の中に漏れることを遮るように構成されている、上記項目のうちのいずれか一項に記載の装置。
（項目１０）
上記センサデータは、デジタル連続信号を含む、上記項目のうちのいずれか一項に記載の装置。
（項目１１）
上記ビデオジェネレータは、スマートフォンにおいて具現化される、上記項目のうちのいずれか一項に記載の装置。
（項目１２）
上記ビデオジェネレータは、特定用途向け集積回路、フィールドプログラマブルゲートアレイ、マイクロコントローラ、またはマイクロプロセッサのうちの少なくとも１つにおいて具現化される、上記項目のうちのいずれか一項に記載の装置。
（項目１３）
上記センサデータは、非視覚データを含む、上記項目のうちのいずれか一項に記載の装置。
（項目１４）
上記暗視ディスプレイデバイスは、蛍光スクリーンと透明ディスプレイとを含み、
上記夜間視界は、該蛍光スクリーンから表示され、上記ビデオ信号は、該透明ディスプレイから表示され、
該透明ディスプレイは、該蛍光スクリーンのユーザ側に配列される、
上記項目のうちのいずれか一項に記載の装置。
（項目１５）
方法であって、該方法は、
ユーザの環境を示すセンサからのセンサデータを受け取ることと、
該センサデータの視覚表現を含むビデオ信号を生成することと、
該ビデオ信号をユーザ環境の夜間視界と組み合わせることにより、該センサデータの視覚表現をユーザの環境の夜間視界の上にオーバーレイすることと、
該オーバーレイされた該ユーザの環境の夜間視界を表示することと
を含む、方法。
（項目１６）
上記センサデータを受け取ることは、発砲の位置を示す発砲検出器からのセンサデータを受け取ることを含む、上記項目のうちのいずれか一項に記載の方法。
（項目１７）
全地球測位情報を受け取ることをさらに含み、
上記ビデオ信号を生成することは、上記発砲に関する位置情報および該全地球測位情報に応答して、該発砲の位置を上記ユーザの環境の夜間視界の上にオーバーレイすることを含む、
上記項目のうちのいずれか一項に記載の方法。
（項目１８）
上記オーバーレイされた夜間視界を表示することは、双眼画像を表示することを含む、上記項目のうちのいずれか一項に記載の方法。
（項目１９）
上記センサデータを受け取ることは、非視覚データを受け取ることを含む、上記項目のうちのいずれか一項に記載の方法。
（項目２０）
装置であって、該装置は、
ユーザの環境の夜間視界を提供するように構成されているディスプレイデバイスと、
発砲の位置を示すセンサデータを生成するように構成されている発砲検出器と、
ビデオジェネレータであって、該ビデオジェネレータは、該発砲検出器からセンサデータを受け取り、そして、該センサデータの視覚表現を含むビデオ信号を該暗視ディスプレイデバイスに提供するように構成されている、ビデオジェネレータと
を備え、該暗視ディスプレイデバイスは、該ユーザの環境の該夜間視界に対してオーバーレイされている該ビデオ信号に対応する画像を表示するように構成されている、
装置。
【０００８】
（摘要）
ユーザの環境を示すセンサデータが、センサから受け取られる。センサデータの視覚表現を含むビデオ信号が、生成される。ビデオ信号は、ユーザの環境の夜間視界と組み合わされ、センサデータの視覚表現をユーザの環境の夜間視界の上にオーバーレイする。オーバーレイされたユーザの環境の夜間視界は、ユーザに表示される。
【図面の簡単な説明】
【０００９】
【図１】図１は、暗視画像が発砲検出器センサデータに対してオーバーレイされる例示的暗視ディスプレイデバイスである。
【図２】図２は、発砲検出器センサデータを暗視ディスプレイ上にオーバーレイする方法を示す流れ図である。
【図３】図３は、発砲検出器センサデータを暗視ディスプレイ上にオーバーレイする第１の実施例である。
【図４】図４は、発砲検出器センサデータを暗視ディスプレイ上にオーバーレイする第２の実施例である。
【図５】図５は、発砲検出器センサデータを暗視ディスプレイ上にオーバーレイする第３の実施例である。
【図６】図６は、発砲検出器センサデータに対してオーバーレイされている暗視画像を表示するように構成されている一対の暗視ゴグルを装着しているユーザを示している。
【発明を実施するための形態】
【００１０】
（例示的実施形態の説明）
（例示的実施形態）
図１には、センサデータの視覚表現をユーザの環境の夜間視界の上にオーバーレイするように構成されている装置１００のブロック図が示されている。装置は、発砲検出器において具現化されているセンサ１１０と、ビデオジェネレータ１２０と、ディスプレイデバイス１３０とを含む。図１に示されているように、ディスプレイデバイス１３０は、微光環境の強化画像を表示するように構成されている暗視ゴグルにおいて具現化されている。換言すると、暗視ゴグル１３０は、ユーザの環境の夜間視界をユーザに表示する。発砲検出器１１０は、センサデータ１４０をビデオジェネレータ１２０に提供し、ビデオジェネレータ１２０は、ビデオ信号１５０をディスプレイデバイス１３０に提供する。
【００１１】
図１のデバイスとは異なり、例えば暗視ゴグルのような暗視ディスプレイを、それ自体のディスプレイデバイスを組み込んでいるセンサと連携して使用することは、困難であり得る。例えば、バックリット（ｂａｃｋｌｉｔ）スクリーンを備えているＧＰＳデバイスは、一対の暗視ゴグルを通して見られる場合、暗視デバイスを過飽和させ、暗視ゴグルにおけるディスプレイを「ホワイトアウト（ｗｈｉｔｉｎｇ  ｏｕｔ）」する。従って、ユーザは、ＧＰＳデバイスのディスプレイを見るために、彼らの暗視ゴグルを取り外さなくてはならないことがある。同様に、発砲検出器のバックリットディスプレイは、同じく、一対の暗視ゴグルのディスプレイを「ホワイトアウト」し得る。もちろん、バックリットスクリーンを見るために暗視ゴグルを取り外すことは、数多くの欠点を伴う。例えば、暗視ゴグルを取り外し、かつ元に戻すことは、厄介であり、時間がかかることがあり、特に、ユーザが、困難な地形を迅速に通り抜けることを試みている場合はそうである。さらに、ユーザの眼が、微光状態に適合している場合、バックリットスクリーンを覗くことは、ユーザの夜に適合した視覚を破壊する。さらに、バックリットスクリーンから発される光は、例えば敵の戦闘員のような他の個人の注意を、ユーザの位置に対して喚起し得る。
【００１２】
他のセンサは、それらのデータをユーザに通信するために音声キューに依存する。例えば、一部の発砲検出器は、イヤピース（ｅａｒ  ｐｉｅｃｅ）を含み、コンピュータ生成音声が、検出された発砲の位置の聴覚指示を提供する。あいにく、これらの聴覚指示は、例えば、検出された発砲の射手のような意図されていない当事者によって聞かれることがある。さらに、個人は、センサデータの聴覚指示は、視覚指示ほどは便利でなく、説明的でなく、正確でないことに気付くことがある。
【００１３】
異なるセンサ／ディスプレイ解決を提供するために、図１のデバイスは、センサデータ１４０の視覚表現を組み込んでいるビデオ信号１５０を暗視ゴグル１３０のディスプレイの上にオーバーレイし、暗視ゴグル１３０を取り外すことなく、および、データの可聴表現に依存することなく、ユーザがセンサデータ１４０を見ることを可能にする。
【００１４】
発砲検出器１１０は、発砲音の検出により、および／または、砲口炎によって放出される光により、発砲の位置についてのセンサデータを提供することができる。例えば、発砲検出器１１０が、ユーザによって装着される場合、発砲検出器１１０は、ユーザに対する発砲の位置を決定し得、例えば発砲の位置のレンジおよび方向のようなセンサデータを提供し得る。同様に、発砲検出器１１０が、ユーザから遠く離れて位置する場合、発砲検出器１１０によって提供されるセンサデータ１４０は、ユーザに関する位置情報と組み合わされ、発砲のユーザに対する位置を決定することができる。
【００１５】
他の実施例に従って、センサ１１０は、また、全地球測位システム（「ＧＰＳ」）受信器を含み得る。従って、センサ１１０は、地球投影位置決定衛星から全地球測位データを受信し得る。例えば、センサ１１０は、ユーザ、そのエリアにおける他の個人、または、例えば発砲の位置のような関心のある他のアイテムの位置に関する全地球測位データを受信し得る。全地球測位データは、センサデータ１４０によりビデオジェネレータ１２０に提供され得る。他の実施例において、センサ１１０は、例えばユーザがその中に入って移動しているような車両に関する診断データを提供するように構成されている車両診断センサにおいて具現化され得る。診断データは、センサデータ１４０によりビデオジェネレータ１２０に提供され得、暗視デバイス１３０によりユーザに対して表示され得る。他の実施例において、センサ１１０は、光検知測距（「ＬＩＤＡＲ」）デバイスにおいて具現化され得る。
【００１６】
ビデオジェネレータ１２０は、例えばラップトップ、タブレットコンピュータ、スマートフォン、または他の多目的コンピューティングデバイスのような多目的コンピューティングデバイスに含まれ得る。従って、ビデオジェネレータ１２０は、ビデオ信号１５０を生成するために、マイクロコントローラまたはマイクロプロセッサにおいて具現化され得る。他の実施例において、ビデオジェネレータ１２０は、例えば特定用途向け集積回路（「ＡＳＩＣ」）またはフィールドプログラマブルゲートアレイ（「ＦＰＧＡ」）のようなパーパスビルト（ｐｕｒｐｏｓｅ−ｂｕｉｌｔ）プロセッサであり得る。ビデオプロセッサ１２０が多目的プロセスを利用しようと、または、ビデオプロセッサ１２０がパーパスビルトプロセッサであろうと、ビデオプロセッサは、暗視ゴグル１３０の中に組み込まれ得るか、または、暗視ゴグル１３０に対して外に配列され得、有線または無線接続により、ビデオ信号１５０を通信するように構成される。同様に、ビデオジェネレータ１２０は、有線または無線接続によりセンサデータを受信し得る。
【００１７】
ここで図２を参照すると、流れ図２００がそこに示されており、流れ図２００は、センサデータの視覚表現を暗視画像にオーバーレイするプロセスを示している。プロセスは、ステップ２１０で始まり、ステップ２１０において、ユーザの環境を示すセンサデータが受け取られる。このセンサデータは、発砲検出センサからの出力であり得、したがって、このデータは、センサに対する発砲の位置を示し得る。センサデータは、データストリームの組み合わせも含み得る。例えば、データは、ユーザに対して外にある検出器に対する発砲の位置を示す発砲検出器からのデータ、ならびに、検出器の位置およびユーザの位置に関するＧＰＳデータを含み得、それによって、発砲とユーザとの相対位置の決定を可能にする。他の実施例に従って、ユーザの環境を示すデータは、ユーザの位置および／またはユーザにとって関心のある他のアイテムの位置を示すＧＰＳデータであり得る。例えば、ユーザが特定の目的地へ移動している場合、センサデータは、ユーザの現在位置に対する目的地の方向を示し得る。もちろん、他の種類のセンサデータも受け取られ得る。
【００１８】
ステップ２２０において、センサデータの視覚表現を含むビデオ信号が生成される。例えば、センサデータが、発砲位置データおよびユーザに関するＧＰＳ座標を含む場合、ビデオ信号を生成することは、発砲位置の英数字表現を生成することを含み得る。他の実施例によると、環境におけるユーザの位置とユーザの向きとが知られることがある。従って、生成されるビデオ信号は、例えば、ユーザの環境の夜間視界のどこで発砲が発生したかを示す矢印または十字線のような視覚表現であり得る。同様に、センサデータが、ユーザの所望の目的地のＧＰＳ座標を含む場合、ビデオ信号は、ユーザが目的地に到着するために移動する必要のある方向の視覚表現を含み得る。
【００１９】
ステップ２３０において、ビデオ信号は、ユーザの環境の夜間視界と組み合わされ、それによって、センサデータの視覚表現をユーザの環境の夜間視界の上にオーバーレイする。ビデオ信号をユーザの環境の夜間視界に対してオーバーレイする特定の実施例が、図３〜図５を参照してより詳細に記述されている。
【００２０】
最後に、ステップ２４０において、ビデオ信号に対してオーバーレイされたユーザの環境の夜間視界が、ユーザに表示される。
【００２１】
ここで、図３を参照すると、図３には、センサデータ１４０の視覚表現を暗視画像３２０上にオーバーレイする実施例が示されている。特に、無強化画像３１０は、ユーザが、暗視強化がないときにどのように環境を見るかの例を示している。一方、暗視ディスプレイ３２０は、ユーザが、例えば、火器の照準器の中に組み込まれ得る単眼暗視デバイス、または、装着できるように構成されている単眼暗視デバイス（例えば、ヘッドマウント暗視ディスプレイ）からの強化の後、環境をどのように見ることがあるかを示している。他の実施例に従うと、暗視ディスプレイ３２０は、暗視ゴグルによって提供され得る。画像３３０は、ビデオ信号１５０のオーバーレイ３４０が、強化された画像３２０の夜間視界に対してどのように表示されるかを示している。
【００２２】
オーバーレイされた画像３３０を提供するために、ビデオジェネレータ１２０は、センサ１１０からセンサデータ１４０を受け取る。センサデータ１４０は、例えば２進文字の連続ストリームのような連続ストリームの形態で受け取られ得る。連続ストリームは、ユーザの位置、ユーザの目的地の位置、発砲の位置、ユーザの所望の方向の位置、または、ユーザにとって関心のある別のアイテムの位置に関する座標情報によって符号化され得るが、センサデータ自体は、非視覚データである。従って、ビデオジェネレータ１２０は、この連続ストリームをビデオ信号１５０に変換し、暗視画像上にオーバーレイされることのできるセンサデータ１４０の視覚表現を提供する。図３に示されているように、ビデオジェネレータ１２０は、センサデータ１４０の英数字表現を含むビデオ信号１５０を生成する。特に、ビデオ信号１５０は、発砲の位置の１０進経度および緯度座標を含み、この場合は、「５１．５１、−０．１５」である。もちろん、ビデオ信号１５０は、等価の度、分、および秒座標（例えば、「５１°３０’３５．９９９４、０°９’０’’」）、または、センサデータの別の視覚表現を含み得たであろう。
【００２３】
ビデオ信号を夜間視界に対してオーバーレイするために、第１のディスプレイおよび第２のディスプレイが用いられ得る。図６を手短に参照すると、図６には、ユーザ６１０によって装着されている暗視ゴグル１３０が示されており、暗視ゴグル１３０は、第１のディスプレイ６１６と第２のディスプレイ６２０とを含む。暗視ゴグル１３０は、光陰極６１２に対して入射する外部の光を受け取ることによって動作する。光陰極６１２は、入射光を電子に変換する。電子は、マイクロチャネルプレート６１４によって増加させられ、次に、蛍光スクリーン６１６において光に変換し戻され、それによって、光陰極６１２に対して最初に入射した光の強化夜間視界を表示する。暗視ゴグル１３０が、蛍光スクリーン６１６によって図３の暗視画像３２０を表示する場合、図３のビデオ信号１５０は、蛍光スクリーン６１６とユーザとの間に配列されている透明スクリーン６２０によってユーザに表示され得る。従って、図３からのビデオ信号１５０は、透明ディスプレイ６２０の配列に起因して、蛍光スクリーン６１６によって表示される暗視画像の上にオーバーレイされて現れる。透明スクリーン６２０は、例えば有機発光ダイオード（「ＯＬＥＤ」）ディスプレイのような任意の既知の透明ディスプレイにおいて具現化され得る。
【００２４】
図３に戻って、他の暗視デバイスは、暗視画像３２０を含むビデオ信号を生成し得る。そのようなデバイスにおいて、ビデオ信号１５０は、ビデオ処理デバイスの使用を通して暗視画像３２０と組み合わされ得る。特に、ビデオ処理デバイスは、ビデオ信号１５０をマイクロチャネルプレートの出力と組み合わせて第２のビデオ信号を生成し、該第２のビデオ信号は、ディスプレイデバイスから投射された場合、オーバーレイされたイメージ３３０を表示する。他の実施例に従うと、暗視画像３２０を含む第１のビデオ信号は、ビデオ信号１５０と組み合わされて第３のビデオ信号を生成し、該第３のビデオ信号は、ディスプレイデバイスから表示された場合、オーバーレイされた画像３３０を表示する。
【００２５】
ここで図４を参照すると、図４には、バイオキュラ（ｂｉ−ｏｃｕｌａｒ）暗視ディスプレイデバイスが示されており、バイオキュラ暗視ディスプレイデバイスにおいては、単一の画像が、ユーザの各眼に別個に表示される。図３の実施例においてそうであるように、暗視画像は、センサデータ１４０のビデオ表現に対してオーバーレイされる。また、図３の画像３１０と同様に、図４の無強化画像４１０は、ユーザが、暗視強化がないときにどのように環境を見るかの例を示している。図４のデバイスはバイオキュラであるので、単一の暗視強化画像４２０が、暗視デバイスによって生成され、この同じ画像が、左眼画像４３０ａおよび右眼画像４３０ｂを通してユーザの眼の各々に表示される。従って、ビデオジェネレータ１２０からのビデオ信号１５０は、オーバーレイ４４０ａおよび４４０ｂによって示されているように、左眼画像４３０ａと右眼画像４３０ｂとの両方の上にオーバーレイされ得る。ユーザによって見られる場合、左眼画像４３０ａと右眼画像４３０ｂとは、ユーザによって単一のビュー（ｖｉｅｗｅｄ）画像４５０として解釈される。
【００２６】
図４において示されているように、オーバーレイ４４０ａおよび４４０ｂならびにビデオ信号１５０は、センサデータ１４０の簡単な英数字表現ではない。そうではなく、オーバーレイ４４０ａ、４４０ｂおよびビデオ信号１５０は、発砲、またはユーザにとって関心のある別のアイテムの位置を指す矢印を示している。矢印が正しい位置を正確に指すようにするために、ＧＰＳデータ４６０も、ＧＰＳ受信器４７０によって提供される。
【００２７】
センサ１１０が、ユーザの身体上に位置していない場合、センサ１１０とユーザとの相対位置が、ビデオ信号１５０における矢印を正確に配向するために知られなければならない。従って、ＧＰＳデータ４６０が、ユーザとセンサ１１０との位置を提供し得る。さらなるデータが、ユーザおよび／またはセンサの配向を提供し得る。例えば、磁気またはジャイロスコープセンサが、センサ１１０およびＧＰＳ受信器４７０に含まれ得、それによって、配向データが、センサデータ１４０およびＧＰＳデータ４６０に含まれることを可能にする。同様に、運動ベクトルが、ユーザに対してＧＰＳデータ４６０から計算され得、ＧＰＳデータ４６０は、また、ユーザの向きを決定するために使用されることができる。もちろん、ＧＰＳ受信器４７０およびセンサ１１０は、２つの別個のデバイスとして示されているが、ＧＰＳ受信器４７０およびセンサ１１０の機能は、より多くのまたはより少ないデバイスにおいて具現化され得る。例えば、センサ１１０は、ＧＰＳ受信器として具現化され得、従って、ＧＰＳ受信器４７０の機能は、センサ１１０によって提供される。同様に、ユーザおよびセンサ１１０の位置は、別個のＧＰＳ受信器によって送信され得る。一方、センサ１１０が、発砲検出器において、かつ、ユーザの身体上において具現化される場合、配向データおよび発砲検出器データのみが、矢印をビデオ信号１５０において正確に配向するために必要であり得、ＧＰＳデータは省略され得る。
【００２８】
ここで図５を参照すると、図５には、センサデータのビデオ表現に対してオーバーレイされた暗視画像の双眼ディスプレイが示されている。図４のバイオキュラディスプレイとは異なり、双眼ディスプレイは、ユーザの各眼に別個の画像を提供する。従って、図５の暗視デバイスには、２つの別個の光学的チャネルが存在する。特に、左の無強化画像５１０ａは、暗視デバイスによって強化され、左の暗視画像５２０ａを生成する。左の強化画像は、センサデータの視覚表現に対してオーバーレイされ、左眼画像５３０ａを提供する。同様に、右の無強化画像５１０ｂは、暗視デバイスによって強化され、右の暗視画像５２０ｂを生成する。右の強化画像は、センサデータの視覚表現に対してオーバーレイされ、右眼画像５３０ｂを提供する。これら２つの画像が、ユーザの左右の眼によって見られる場合、ユーザの脳は、これらを単一の立体画像５５０として解釈する。
【００２９】
オーバーレイされた画像５３０ａおよび５３０ｂは、組み合わされて立体画像５５０を形成するので、ユーザは、３次元画像を提供され得る。しかし、２つの光学的チャネルの使用は、センサデータを暗視画像上にオーバーレイすることにさらなる複雑さを加える。例えば、左の強化画像５２０ａは、右の強化画像５２０ｂとわずかに異なる。従って、左オーバーレイ５４０ａは、右オーバーレイ５４０ｂが、右の強化画像５２０ｂにおいて位置決めされている場所とは異なる左の強化画像における位置において位置決めされる必要があり得る。左オーバーレイ５４０ａおよび右オーバーレイ５４０ｂの位置決めにおける相違は、左のオーバーレイされた画像５３０ａおよび右のオーバーレイされた画像５３０ｂに示されているが、しかし、位置決めは、要点をより良く示すために誇張されている。
【００３０】
オーバーレイ５４０ａおよび５４０ｂを正確に位置決めするために、ビデオジェネレータ１２０は、暗視デバイス５７０から暗視デバイスデータ５６０を提供される。特に、暗視デバイス５７０は、例えば、暗視デバイス５７０が、どこに、そしてどのように配列され、焦点が合わされているかを示すデータを提供し得る。さらに、暗視デバイスデータ５６０は、左の強化画像５２０ａを作成するために用いられる左の光学的チャンネルと、右の強化画像５２０ｂを作成するために用いられる右の光学的チャンネルとの相対位置を示す情報を含み得る。暗視デバイスデータ５６０を考慮することによって、ビデオジェネレータは、２つの別個のビデオ信号、左のビデオ信号１５０ｂと右のビデオ信号１５０ａとを生成し得る。左のビデオ信号１５０ａは、左の強化画像５２０ａ上にオーバーレイされ、左眼画像５３０ａを生成する。同様に、右のビデオ信号１５０ｂは、右の強化画像５２０ｂ上にオーバーレイされ、右の眼画像５４０ｂを生成する。ビデオジェネレータ１２０は、左のビデオ信号１５０ａと右のビデオ信号１５０ｂとを生成する場合に暗視デバイスデータ５６０を考慮しているので、ユーザが、立体画像５５０における立体オーバーレイ５８０を見る場合、立体オーバーレイ５８０は、ユーザにとって関心のあるアイテムの位置を正確に示し得る。
【００３１】
他の実施例に従い、暗視デバイス５７０は、図３および図４において提供されている信号と同様な単一のビデオ信号を受信し得る。暗視デバイスデータ５６０を所有している暗視デバイス５７０は、オーバーレイされた画像５３０ａにおいてオーバーレイ５４０ａを、および、オーバーレイされた画像５３０ｂにおいてオーバーレイ５４０ｂを適切に位置決めするために、ビデオ信号を適切に変更することができる。
【００３２】
ここで図６を参照すると、図６には、本明細書に記述された技術を利用するディスプレイデバイス例において有利に強化されることのできる暗視ディスプレイの特徴のうちの一部が示されている。特に、図６には、暗視ゴグル１３０を装着しているユーザ６１０が示されている。ＧＰＳ受信器または発砲検出器の外部バックリットスクリーンとは異なり、暗視ゴグル１３０のディスプレイスクリーン６３０は、暗視ゴグル１３０の外部ケーシング内に設定されている。従って、ディスプレイ６２０からの光は、ユーザを取り囲む環境の中に漏れそうにはなく、それによって、ユーザの光セキュリティを保持する。暗視ゴグル１３０は、また、例えば接眼部６３０のような、ユーザ６１０の顔に一致する特徴を含むように構成され得る。接眼部６３０は、ディスプレイ６２０によって発される光が、ユーザの環境の中に漏れることをさらに防止し、ユーザの光セキュリティをさらに維持し得る。
【００３３】
上記説明は、例を示すことのみが意図されている。
【図１】
2014179990.tif 000002
【図２】
2014179990.tif 000003
【図６】
2014179990.tif 000004
【図３】
2014179990.tif 000005
【図４】
2014179990.tif 000006
【図５】
2014179990.tif 000007
【外国語明細書】
2014179990000001.pdf